(57)【要約】    【課題】モジュールのパットとコンタクトとの電気的な接続安定性を可及的に向上させるようにしたソケットコネクタを提供する。  【解決手段】ソケットコネクタ１０において、モジュール３のパット６と接続するコンタクト２０のうち、パット６と接触する接点部２０ａを除く部分にモジュール３と弾発的に接触して当該モジュール３をハウジング４の中央へ押圧する弾発凸部３０を形成するようにした。  【選択図】  図１
2006310114.tif 000002
【特許請求の範囲】
【請求項１】
モジュールを嵌挿するハウジングと、該ハウジング内に配設され前記モジュールのパットと接続するコンタクトとを少なくとも有するソケットコネクタにおいて、
前記コンタクトのうち、前記パットと接触する接点部を除く部分に前記モジュールと弾発的に接触して前記モジュールを前記ハウジングの中央へ押圧する弾発凸部を形成するようにしたことを特徴とするソケットコネクタ。
【請求項２】
前記コンタクトは断面が略Ｕ字形状に折り曲げられたバネ部を有し、該バネ部の先端は前記ハウジングの中央側へ突出するように折り曲げられ、該折り曲げられた前記バネ部の先端を前記弾発凸部としたことを特徴とする請求項１に記載のソケットコネクタ。
【請求項３】
前記コンタクトは断面が略Ｕ字形状に折り曲げられたバネ部を有し、前記接点部に隣接する部分を前記ハウジング４の中央側へ突出するように折り曲げ、該折り曲げた前記接点部に隣接する部分を前記弾発凸部としたことを特徴とする請求項１に記載のソケットコネクタ。
【請求項４】
前記コンタクトの接点部は、初期位置では予め前記ハウジングの底面内に収容されていることを特徴とする請求項３に記載のソケットコネクタ。
【発明の詳細な説明】
【技術分野】
【０００１】
この発明は、イメージセンサー等からなるモジュールを嵌着支承し、このモジュールと電気的に接続するソケットコネクタに関し、特にその接続安定性を確保するようにしたソケットコネクタの改良に関する。
【背景技術】
【０００２】
従来より、ＣＭＯＳあるいはＣＣＤセンサ等のイメージセンサーからなるカメラモジュール、あるいはその他の機能素子からなるモジュールを嵌着支承して、当該モジュールと電気的に接続する電気コネクタとして、ソケットコネクタが使用されている。
【０００３】
図８は上述した従来のソケットコネクタ１を示す概念斜視図である。
【０００４】
このソケットコネクタ１は、イメージセンサー２を搭載したカメラモジュール３と電気的に接続するコネクタで、上面が開放された矩形状の箱体からなるハウジング４を有している。
【０００５】
一方、モジュール３は、上述したハウジング４内に嵌挿する矩形状の基体５を有し、その底面四隅には、所定のピッチで複数のパット（接点）６が形成されている。
【０００６】
一方、上述したハウジング４の四方を囲繞する各壁体４ａ内には、前記モジュール３のパット６と対応する位置にコンタクト７が配設され、その接点部７ａは、ハウジング４の底面４ｂから前記モジュール３のパット６と対向する位置へ向け突出している。
【０００７】
なお、上述した従来のソケットコネクタ１のコンタクト７は、図８の要部拡大断面図で示す図９のように、断面がＵ字形状に折り曲げられたバネ部７ｂを有し、その一端がさらに折り曲げられハウジング４の底面４ｂから突出して前記接点部７ａを形成している。
【０００８】
なお、各コンタクト７の他端７ｃはハウジング４の外側に突出し、図示せぬ印刷配線基板の対応する印刷配線パターンと接続する端子となっている。
【０００９】
上述した従来のソケットコネクタ１によると、図８の矢印Ａで示すように、モジュール３をコネクタ１のハウジング４内に嵌挿させると、図９で示すように、モジュール３の各パット６と対応する各コンタクト７の接点部７ａとが当接し、さらにモジュール３をハウジング４内に押し込めると、図１０で示すように、各コンタクト７の接点部７ａがハウジング４の底面４ｂ側へ退避するように押し込められて各コンタクト７の各パット６と接点部７ａとが電気的に接続する。
【発明の開示】
【発明が解決しようとする課題】
【００１０】
ところで、上述した従来のソケットコネクタ１では、各コンタクト７の接点部７ａと対応するモジュール３のパット６との接触を確実にするため、ハウジング４の寸法及びその内部に配設されたコンタクト７の配設ピッチ等の各寸法公差を厳密に管理し、またハウジング４内に嵌着支承されるモジュール３の基体５の寸法公差も厳密に管理しなければならないが、ハウジング４内にモジュール３の基体５を嵌挿させる構造上、図１０で示すように、ハウジング４の壁体４ａとモジュール３の基体５との間には若干の隙間Ｓを設けざるを得ない。
【００１１】
そしてこの隙間Ｓにより、モジュール３の嵌挿時に当該モジュール３を矢印Ｂ、あるいは矢印Ｃのように、一方の壁体４ａ側に変位させた状態で嵌挿させると、コンタクト７の接点部７ａと対応するモジュール３のパット６との間の位置決め精度が低下し、このため両者がうまく当接せず、接触が不安定となり電気的な接続安定性が損なわれる虞がある。
【００１２】
なお、この傾向はソケットコネクタ１の小型化を促進するため各コンタクト７間の狭ピッチ化を図った場合は一層顕著となる。
【００１３】
また、モジュール３の装着後、外部から加えられる振動等の要因により、隙間Ｓの範囲内でモジュール３の基体５がハウジング４内で移動する虞があり、移動するとこの場合もコンタクト７の接点部７ａとモジュール３のパット６との間の位置決め精度が低下し、両者の接触が不安定となって電気的な接続安定性が損なわれる虞もある。
【００１４】
この発明は、上述した事情に鑑み、モジュールのパットとコンタクトとの電気的な接続安定性を可及的に向上させるようにしたソケットコネクタを提供すること目的とする。
【課題を解決するための手段】
【００１５】
上述した課題を解決するため、この発明では、モジュールを嵌挿するハウジングと、該ハウジング内に配設され前記モジュールのパットと接続するコンタクトとを少なくとも有するソケットコネクタにおいて、前記コンタクトのうち、前記パットと接触する接点部を除く部分に前記モジュールと弾発的に接触して前記モジュールを前記ハウジングの中央へ押圧する弾発凸部を形成するようにしている。
【発明の効果】
【００１６】
上述したソケットコネクタによると、コンタクトのうちモジュールのパットと接触する接点部を除く部分に弾発変形する弾発凸部を形成し、この弾発凸部をハウジング内に嵌挿するモジュールに当接させて当該モジュールをハウジングの中央へ押圧するようにしたから、各部の寸法公差を厳密に管理しなくてもモジュールをハウジング内に装着する際に、モジュールは常にハウジングの中央部に位置決めされ、このためモジュールのパットとコンタクトの接点部との間の位置決め精度が向上し、モジュールの各パットと対応するコンタクトの各接点部とを確実に当接させ、これによりモジュールの各パットと対応するコンタクトの各接点部との電気的な接続安定性を可及的に向上させることができる。
【００１７】
また外部から振動が加わってもその振動はコンタクトの弾発凸部により吸収されるので、モジュールはハウジング内でずれることなく可及的にハウジングの中央部に位置決めされ、この場合もモジュールのパットとコンタクトの接点部との電気的な接続安定性を可及的に向上させることができる。
【発明を実施するための最良の形態】
【００１８】
以下、この発明に係わるソケットコネクタの一実施例を詳述する。
【００１９】
図１はこの発明に係わるソケットコネクタ１０を示す概念斜視図で、図８と同一部分を同一符号で示す。
【００２０】
このソケットコネクタ１０も、イメージセンサー２を搭載したカメラモジュール３と電気的に接続するコネクタで、上面が開放された矩形状の箱体からなるハウジング４を有し、このハウジング４の四方を囲繞する各壁体４ａ内に形成された各溝４ｄ内には、前記モジュール３の各パット６と対向する位置に本願発明に係るコンタクト２０が配設されている。
【００２１】
なお、このコンタクト２０の接点部２０ａは、従来と同様にハウジング４の底面４ｂから前記モジュール３のパット６と対向する位置へ向け突出している。
【００２２】
一方、このコンタクト２０は図１の要部拡大断面図で示す図２のように、断面が略Ｕ字形状に折り曲げられたバネ部２０ｂを有している。そして、このバネ部２０ｂの先端２０ｃは壁体４ａの溝４ｄ内から前記ハウジング４の中央側へ突出するように折り曲げられ、そこに弾発凸部３０が形成されている。なお、この弾発凸部３０の形成部分は図２から明らかなようにコンタクト２０のうちモジュール３のパット６と接触する接点部２０ａを除く部分である。
【００２３】
なお、各コンタクト２０の他端２０ｄはハウジング４の外側に突出し、図示せぬ印刷配線基板の対応する印刷配線パターンと接続する端子となっている。
【００２４】
次に、上述したソケットコネクタ１０の作用を説明し、併せて構成をより詳細に説明する。
【００２５】
上述した本願発明に係るソケットコネクタ１０によると、図１の矢印Ａで示すように、モジュール３をコネクタ１０のハウジング４内に嵌挿させると、図２で示すように弾発凸部３０が壁体４ａの溝４ｄ内からハウジング４の中央側へ突出しているから、モジュール３を矢印で示すようにさらに下方へ移動させると、図３で示すように、各コンタクト２０の各弾発凸部３０とモジュール３の基部５とが接触し、これにより各弾発凸部３０が弾発変形しハウジング４内の四方を形成する４つの壁体４ａから当該モジュール３をハウジング４の中央へ押圧する力Ｆを発生させる。
【００２６】
このように、各弾発凸部３０が弾発変形して当該モジュール３をハウジング４の中央へ押圧する力Ｆを発生させると、ハウジング４内の４つの各壁体４ａからハウジングの中央側へ向け発生する均等な力Ｆによりモジュール３は常にハウジング４の中央部に位置決めされ、このためモジュール３のパット６とコンタクト２０の接点部２０ａとの間の位置決め精度が向上し、図４で示すように、モジュール３の各パット６と対応するコンタクト２０の各接点部２０ａとが確実に当接し、これによりモジュール３の各パット６と対応するコンタクト２０の各接点部２０ａとの電気的な接続安定性が可及的に向上することとなる。
【００２７】
なお、上記実施例では、コンタクト２０は図１の要部拡大断面図で示す図２のように、バネ部２０ｂの先端２０ｃを壁体４ａの溝４ｄ内から前記ハウジング４の中央側へ突出するように折り曲げ、そこに弾発凸部３０を形成するようにしたが、この発明は上記実施例に限定されることなく、図２と同一部分を同一符号で示す図５のように、断面が略Ｕ字形状に折り曲げられたバネ部２０ｂのうち、接点部２０ａに隣接する部分２０ｅを壁体４ａの溝４ｄ内から前記ハウジング４の中央側へ突出するように折り曲げ、そこに弾発凸部３０を形成するようにしても良い。
【００２８】
なお、図５に示す実施例のコンタクト２０の接点部２０ａは、初期位置では予めハウジング４の底面４ｂに形成された溝５０内に位置決め収容され、ハウジング４の底面４ｂから前記モジュール３のパット６と対向する側へ向け突出しないように設定されている。
【００２９】
次に、図５に示す実施例のソケットコネクタ１０の作用を説明し、併せて構成をより詳細に説明する。
【００３０】
上述した本願発明に係るソケットコネクタ１０によると、図５の矢印Ａで示すように、モジュール３をコネクタ１０のハウジング４内に嵌挿させると、コンタクト２０のバネ部２０ｂの先端２０ｃはハウジング４の溝４ｄ内に収容されているので、モジュール３の基部５は図６で示すように、ハウジング４内にスムーズに嵌挿する。
【００３１】
一方、図６で示すように、モジュール３の基部５がハウジング４内に進入すると、コンタクト２０下方で弾発凸部３０が壁体４ａの溝４ｄ内からハウジング４の中央側へ突出しているから、各コンタクト２０の各弾発凸部３０とモジュール３の基部５とが当接し、これにより各弾発凸部３０が弾発変形してハウジング４内の４つの壁体４ａから当該モジュール３をハウジング４の中央へ押圧する力Ｆを発生させる。
【００３２】
なお、各弾発凸部３０の弾発変形と同時に、くの字形状に折り曲げられた接点部２０ａが接触点Ｇを中心にハウジング４の底面４ｂから上方へ起き上がりモジュール３のパット６とコンタクト２０の接点部２０ａとを当接させる。
【００３３】
このように、各弾発凸部３０が弾発変形して当該モジュール３をハウジング４の中央へ押圧する力Ｆを発生させると、ハウジング４内の４つの各壁体４ａからハウジングの中央側へ向け発生する均等な力Ｆによりモジュール３は常にハウジング４の中央部に位置決めされ、このためモジュール３のパット６とコンタクト２０の接点部２０ａとの間の位置決め精度が向上して、図７で示すように、モジュール３の各パット６と対応するコンタクト２０の各接点部２０ａとを確実に当接させ、これによりモジュール３の各パット６と対応するコンタクト２０の各接点部２０ａとの電気的な接続安定性を可及的に向上させることとなる。
【００３４】
なお、図５に示す実施例では、断面が略Ｕ字形状に折り曲げられたバネ部２０ｂのうち、バネ部２０ｂの先端２０ｃをハウジング４の溝４ｄ内に収容し、また接点部２０ａに隣接する部分２０ｅを壁体４ａの溝４ｄ内から前記ハウジング４の中央側へ突出するように折り曲げ、そこに弾発凸部３０を形成するようにしているから、モジュール３は、図２に示す実施例のコンタクト２０と比較して、モジュール３がハウジング４内へスムーズに進入し、モジュール３やコンタクト２０に対する損傷や変形を可及的に排除することが出来る。また、図５に示す実施例のコンタクト２０の接点部２０ａは、初期位置では予めハウジング４の底面４ｂに形成された溝５０内に収容され、ハウジング４の底面４ｂから突出しないように設定されているから、モジュール３のハウジング４内への未嵌合時における接点部２０ａの変形やゴミ等の付着による接触不良を可及的に防ぎ、これにより一層安定した電気的接続を実現することが出来る。
【００３５】
また、上記各実施例では、ハウジング４内に配設された全てのコンタクト２０に弾発凸部３０を形成するようにしたが、この発明は上記実施例に限定されることなく、例えばハウジング４の互いに対向する壁体４ａに配設された複数個のコンタクト２０のうち、各壁体４ａ毎の任意の一つのコンタクト２０に弾発凸部３０を形成するようにし、あるいは一つおきに配設された任意のコンタクト２０に弾発凸部３０を形成しても良く、要は各壁体４ａ毎に配設されたコンタクト２０のうち任意の数のコンタクト２０に弾発凸部３０を形成すればよく、その数は実施例に限定されないことは勿論である。
【産業上の利用可能性】
【００３６】
以上説明したように、この発明は、モジュールのパットとコンタクトとの電気的な接続安定性を可及的に向上させるようにしたソケットコネクタに適している。
【図面の簡単な説明】
【００３７】
【図１】図１はこの発明に係わるソケットコネクタの概念斜視図。
【図２】図２はこの発明に係わるソケットコネクタの作用を示す図１の要部拡大断面図。
【図３】図３はこの発明に係わるソケットコネクタの作用を示す断面図。
【図４】図４はこの発明に係わるソケットコネクタの作用を示す断面図。
【図５】図５はこの発明に係わるソケットコネクタの他の実施例を示す断面図。
【図６】図６はこの発明に係わるソケットコネクタの他の実施例の作用を示す断面図。
【図７】図７はこの発明に係わるソケットコネクタの他の実施例の作用を示す断面図。
【図８】図８は従来のソケットコネクタを示す概念斜視図。
【図９】図９は従来のソケットコネクタの作用を示す図８の要部拡大断面図。
【図１０】図１０は従来のソケットコネクタの作用を示す図８の要部拡大断面図。
【符号の説明】
【００３８】
３…モジュール
４…ハウジング
４ｂ…底面
６…パット
１０…ソケットコネクタ
２０…コンタクト
２０ａ…接点部
２０ｂ…バネ部
２０ｃ…バネ部の先端
２０ｅ…接点部に隣接する部分
３０…弾発凸部
【図１】
2006310114.tif 000003
【図２】
2006310114.tif 000004
【図３】
2006310114.tif 000005
【図４】
2006310114.tif 000006
【図５】
2006310114.tif 000007
【図６】
2006310114.tif 000008
【図７】
2006310114.tif 000009
【図８】
2006310114.tif 000010
【図９】
2006310114.tif 000011
【図１０】
2006310114.tif 000012